(57)【要約】【課題】送出される風を浴びて涼感を得たり、室内の空気を攪拌して温度ムラをなくしたりするのに使用される扇風機等において、送風部が回動した状態での制御部の位置を、操作しやすい位置へ変更する作業の煩雑さを抑制することを目的とする。【解決手段】制御部７は、回動部６によって送風部５が回動しているときに、検知部８によって基台部３が床面２から離れたことを検知すると回動部６を停止させるという構成にしたことにより、使用者が送風部５を把持して扇風機１を持ち上げ、制御部７の位置を変えようとしたとき、制御部７は回動しないため、制御部７を操作し易い位置へ変更する作業の煩雑さを軽減した扇風機を得られる。【選択図】図１
2018040265.tif 000002
【特許請求の範囲】
【請求項１】
床面等に置かれる基台部と、
前記基台部から上方に延びた支柱部と、
前記支柱部に回動自在に設けた送風部と、
前記送風部を回動する回動部と、
前記送風部と前記回動部とを制御する制御部と、
前記基台部が前記床面等から離れたことを検知する検知部とを備え、
前記制御部は、前記回動部によって前記送風部が回動しているときに、前記検知部によって前記基台部が前記床面等から離れたことを検知すると前記回動部を停止させることを特徴とした扇風機。
【請求項２】
前記制御部は、
前記回動部によって前記送風部が回動しているときに、前記基台部が前記床面等から離れた後に、前記検知部によって前記基台部が前記床面等に置かれたことを検知すると、前記回動部を作動させることを特徴とした請求項１に記載の扇風機。
【請求項３】
前記検知部は、
前記基台部に設けられたことを特徴とした請求項１または２に記載の扇風機。
【請求項４】
前記検知部は、
前記基台部の外周に複数個を等間隔に配設され、
複数個の前記検知部のうちいずれかひとつ前記検知部が前記床面から離れたことを検知すると前記制御部は前記回動部を停止させることを特徴とした請求項３に記載の扇風機。
【発明の詳細な説明】
【技術分野】
【０００１】
本発明は、一般的な家庭において、ファンの回転により昇圧された空気を送出し、その風に人体が当たり涼感を得たり、室内の空気を攪拌して温度ムラをなくしたりするのに使用される扇風機に関するものである。
【背景技術】
【０００２】
従来、この種の扇風機は、送出される風の方向を任意に変更可能としたものが知られている（例えば、特許文献１参照）。
【０００３】
以下、その扇風機について図４および図５を参照しながら説明する。
【０００４】
扇風機１０１は基台部１０２と、基台部１０２から上方に延びた支柱部１０３と、支柱部１０３に回動自在に設けた送風部１０４と、送風部１０４を回動する回動部１０５とからなり、送風部１０４と回動部とを制御する制御部１０６を備えることにより送風部１０４は任意の方向に風を送出することができる。
【先行技術文献】
【特許文献】
【０００５】
【特許文献１】特開２０１６−０１１５９７号公報（第１１頁、第１図および第３図）
【発明の概要】
【発明が解決しようとする課題】
【０００６】
このような従来の扇風機においては、送風部と支柱部の間に回動部が備わる構成となっていたので、回動部が作動した状態で送風部を持ち上げると、基台部が回動する。
【０００７】
そのため、回動部が作動していることを忘れたまま、扇風機の制御部を操作し易い任意の位置で固定しようと送風部を持ち上げると、基台部が回動して、それに伴い制御部も回動するので、回動する制御部が操作し易い位置まで戻ってくるまで送風部を持ち上げたまま待機するか、送風部を手動で回動しなければならず、操作が煩雑になるという課題を有していた。
【０００８】
そこで本発明は、上記従来の課題を解決するものであり、扇風機を持ち上げると同時に、回動部が停止することで、制御部を操作し易い位置へ容易に固定することができるようにした扇風機を提供することを目的とする。
【課題を解決するための手段】
【０００９】
そして、この目的を達成するために、本発明は、基台部が床面等から離れたことを検知する検知部とを備え、制御部は、回動部によって送風部が回動しているときに、検知部によって基台部が床面等から離れたことを検知すると回動部を停止させるとしたものであり、これにより所期の目的を達成するものである。
【発明の効果】
【００１０】
本発明によれば、基台部が床面等から離れたことを検知する検知部とを備え、制御部は、回動部によって送風部が回動しているときに、検知部によって基台部が床面等から離れたことを検知すると回動部を停止させるという構成にしたことにより、送風部を持ち上げると基台部は床面等から離れ、同時に検知部によって基台部が床面から離れたことを検知して回動部が停止するので、制御部を操作し易い位置へ容易に固定できるという効果を得る。
【図面の簡単な説明】
【００１１】
【図１】本発明の実施の形態１の扇風機の概要を示す側面図
【図２】本発明の実施の形態１の扇風機の概要を示す斜視図
【図３】本発明の実施の形態１の検知部の詳細を示す側断面図
【図４】従来の扇風機の概要を示す側面図
【図５】従来の扇風機の概要を示す斜視図
【発明を実施するための形態】
【００１２】
本発明の請求項１記載の扇風機は、床面等に置かれる基台部と、前記基台部から上方に延びた支柱部と、前記支柱部に回動自在に設けた送風部と、前記送風部を回動する回動部と、前記送風部と前記回動部とを制御する制御部と、前記基台部が前記床面等から離れたことを検知する検知部とを備え、前記制御部は、前記回動部によって前記送風部が回動しているときに、前記検知部によって前記基台部が前記床面等から離れたことを検知すると前記回動部を停止させるという構成を有する。これにより、扇風機が床面等から離れたことを前記検知部により検知すると、前記制御部により前記回動部が停止するので、前記送風部を持って、扇風機を持ち上げて、前記制御部を操作し易い任意の方向へ容易に固定できるという効果を奏する。
【００１３】
また、前記制御部は、前記回動部によって前記送風部が回動しているときに、前記基台部が前記床面等から離れた後に、前記検知部によって前記基台部が前記床面等に置かれたことを検知すると、前記回動部を作動させる構成にしてもよい。これにより、扇風機を前記床面等に置くと同時に回動部が再び作動するので、手動で前記制御部により前記回動部を作動させる煩雑さを抑制するという効果を奏する。
【００１４】
また、前記検知部は、前記基台部に設けられた構成にしてもよい。これにより、前記検知部は、前記床面等から扇風機が離れたことを容易に検知できるという効果を奏する。
【００１５】
また、前記検知部は、前記基台部の外周に複数個を等間隔に配設された構成にしてもよい。これにより、前記基台部に前記検知部を設けたことで扇風機の設置が不安定になることを抑制できるという効果を奏する。
【００１６】
以下、本発明の実施の形態について図面を参照しながら説明する。
【００１７】
（実施の形態１）
図１および図２に示すように、扇風機１は、床面２に置かれる基台部３と、基台部３から上方に延びた支柱部４と、支柱部４に回動自在に設けた送風部５と、送風部５を回動する回動部６と、送風部５と回動部６とを制御する制御部７と、基台部３が床面２から離れたことを検知する検知部８とを備えている。
【００１８】
送風部５は、扇風機１を持ち上げるためのハンドル１１を備えている。
【００１９】
基台部３は、制御部７と、検知部８を備えており、検知部８は床面２と接触するように、基台部３の底面側かつ外周に複数個（たとえば本実施の形態においては６個）が等間隔に配設されている。
【００２０】
制御部７は、その役割として送風部５の作動・停止と、回動部６の作動・停止とを制御するものであって、手動による送風部ＯＮ／ＯＦＦスイッチ９および回動部ＯＮ／ＯＦＦスイッチ１０とを備えている。
【００２１】
検知部８は、モーメンタリ動作を利用した通電のＯＮ／ＯＦＦ切替を行い、その信号を制御部７が受信することで、回動部６のＯＮ／ＯＦＦを制御するものである。
【００２２】
図３に示すように、検知部８の一例として、ゴム足１６と、フィルム１２と、可動接点（メタルドーム）１３と、固定接点１４とを備え、基台部３と取付台１５とにより覆われている。
【００２３】
検知部８の作動原理であるが、扇風機１を床面２へ置くと、扇風機１の重みによる荷重がゴム足１６へ加わり、ゴム足１６はフィルム１２を通して可動接点１３を変形させる。このとき、変形した可動接点１３が固定接点１４と接触することにより、通電ＯＮ状態となり、その通電ＯＮ状態を制御部７が検知している間は、回動部６を作動させることができる。逆に、扇風機１が床面２から離れて検知部８が通電ＯＦＦ状態となったとき、検知部８が複数個備わる場合には、いずれかひとつが通電ＯＦＦ状態となれば、制御部７は回動部６を停止させる。
【００２４】
また、再び扇風機１が床面２に置かれた場合には、検知部８が通電ＯＮ状態となり、検知部８が複数個備わる場合には、すべてが通電ＯＮ状態となれば、制御部７は回動部６を直ちに再開させる。
【００２５】
このような構成によれば、扇風機１を床面２へ置き、使用者は制御部７の送風部ＯＮ／ＯＦＦスイッチ９を押すことで、制御部７は送風部５を作動させ、送風が開始される。このとき、検知部８は通電ＯＮ状態であり、使用者が制御部７の回動部ＯＮ／ＯＦＦスイッチ１０を押すことで、制御部７は回動部６を作動させることで、送風部５は回動を開始する。
【００２６】
次に、使用者がハンドル１１を把持して扇風機１を持ち上げて、制御部７を操作し易い位置へ移動させたいとしたとき、扇風機１は床面２から離れるため、検知部８は可動接点１３と固定接点１４とが非接触となるため通電ＯＦＦ状態となる。制御部７は、検知部８の通電ＯＦＦ状態を検知することにより、回動部６を停止させる。
【００２７】
このため、使用者が回動部ＯＮ／ＯＦＦスイッチ１０により回動部６を停止させることを忘れていたとしても、扇風機１を持ち上げた状態では回動部６が停止しているために、制御部７を操作し易い位置へ容易に変更可能である。また、扇風機１を再び床面２へ置くことで回動部６が再び作動するため、回動部ＯＮ／ＯＦＦスイッチ１０を再び押す必要がないことから、使用者が制御部７の位置を変更するための煩雑な作業を抑制することができる。
【産業上の利用可能性】
【００２８】
本発明にかかる扇風機は、送風部が回動した状態から制御部の位置を操作し易い位置へ変更する作業での煩雑さを抑制することを可能とするものであるので、一般家庭などにおいて、送出される風を浴びて涼感を得たり、室内の空気を攪拌して温度ムラをなくしたりするのに使用される扇風機等として有用である。
【符号の説明】
【００２９】
１    扇風機
２    床面
３    基台部
４    支柱部
５    送風部
６    回動部
７    制御部
８    検知部
９    送風部ＯＮ／ＯＦＦスイッチ
１０    回動部ＯＮ／ＯＦＦスイッチ
１１    ハンドル
１２    フィルム
１３    可動接点
１４    固定接点
１５    取付台
１６    ゴム足
【図１】
2018040265.tif 000003
【図２】
2018040265.tif 000004
【図３】
2018040265.tif 000005
【図４】
2018040265.tif 000006
【図５】
2018040265.tif 000007